(57)【特許請求の範囲】
【請求項１】
電話機本体内に、一又は二以上の情報を記憶する情報記憶手段を備えた携帯電話機であって、
折畳み自在に構成された電話機本体を構成する筐体表面に、外部から視認可能に配設された、二以上の異なる色で発光可能な多色発光部と、
この多色発光部を点灯／消灯させるとともに、当該発光部の発光色を任意に変更，選択する選択操作部と、を備え、
前記多色発光部の各発光色が、前記情報記憶手段に記憶される各情報ごとに割り当てられることにより、当該各発光色が各情報を特定し、
当該発光色を前記選択操作部で変更，選択することにより、前記情報記憶手段の所望の特定情報を選択，指定する情報選択手段と、
折畳み自在に構成された前記電話機本体の開閉を検出する開閉検出手段と、
前記開閉検出手段により前記電話機本体の開動作が検出されると、前記情報選択手段の選択操作部により選択，指定された情報が相手先電話番号の場合に、当該相手先電話番号への発呼を行う自動発呼制御手段と、を備えることを特徴とする携帯電話機。
【請求項２】
前記情報記憶手段に記憶される情報が、相手先電話番号を含む請求項１記載の携帯電話機。
【請求項３】
前記情報記憶手段に記憶される情報が、相手別スケジュールを含む請求項１又は２記載の携帯電話機。
【請求項４】
前記情報選択手段が、
電話機本体外部に、二種以上の異なる音を発する発音部と、
この発音部を発音／消音させるとともに、当該発音部の音を任意に変更，選択する選択操作部と、を備え、
前記発音部の各音が、前記情報記憶手段に記憶される各情報ごとに割り当てられることにより、当該各音が各情報を特定し、
当該音を前記選択操作部で変更，選択することにより、前記情報記憶手段の所望の特定情報を選択，指定する請求項１，２又は３記載の携帯電話機。
【請求項５】
前記多色発光部が、折畳み自在に構成された前記電話機本体の筐体表面に、当該電話機が折畳まれた状態で外部から視認可能に配設された請求項１乃至４のいずれかに記載の携帯電話機。
【請求項６】
前記情報選択手段の選択操作部が、電話機本体の筐体側面部に、外部から操作可能に配設された請求項１乃至５のいずれかに記載の携帯電話機。
【発明の詳細な説明】
【０００１】
【発明の属する技術分野】
本発明は、携帯電話，ＰＨＳ等の携帯型通信端末として使用される携帯電話機に関し、特に、多色発光ＬＥＤ等によって選択相手先の電話番号等を特定して選択，指定できる情報選択手段を備えることにより、電話番号等の入力操作を不要とするとともに、折畳み式携帯電話機における自動発呼等の簡便な機能を実現でき、使用者の操作性，利便性の向上を図ることができる携帯電話機に関する。
【０００２】
【従来の技術】
一般に、携帯電話，ＰＨＳ等の携帯型通信端末として使用される携帯電話機は、電話機本体に、数字や文字，記号等を示す複数のキー・ボタンからなる操作キーが備えられており、この操作キーを用いて入力動作を行うことにより、任意の情報を入力，特定して所望の機能を実現するようになっている。
例えば、相手先に電話をかけようとする場合には、操作キーの数字キーを押下して相手先電話番号を入力するとともに、発呼キーを押下して発呼することにより相手との通話を行うことができる。また、信号の着信時には発呼キーを押下することにより信号を受信して相手と通話することができる。
【０００３】
また、通常、携帯電話機には、各種の情報を記憶するメモリ（情報記憶部）が備えられているが、このメモリに種々の情報を記憶させたり、記憶させた情報を取り出す際にも、操作キーを用いた入力操作を行う。
例えば、特定の相手先電話番号を記憶させたり、記憶させた電話番号を呼び出して発呼したりする場合、各種のスケジュール等の情報を書き込んだり、書き込んだ情報を表示，確認する場合には、操作キーを操作することにより所望の動作を行うことができる。
【０００４】
【発明が解決しようとする課題】
しかしながら、従来の携帯電話機では、使用者が発呼を行う場合、相手先の電話番号を、入力又はメモリ内のデータから選択し、発呼キーを押下するという一連の操作が必要であった。
このため、特に、本体が二つに折畳み自在に構成された折り畳み式の携帯電話機の場合、操作キーが折畳まれた状態の本体内側に位置するため、まず、折畳んである電話機筐体を開いてからでないと一連のキー操作が行えず、筐体の展開動作とそれに続く一連のキー操作が煩わしいという問題点があった。
【０００５】
また、通常、携帯電話機で相手先に発信する場合、相手先の電話番号等をキー操作によって直接入力するか、メモリ内に登録してある電話番号の中から所望の番号を選択して呼び出すようになっているが、その際、相手先の電話番号や名前等が正しく入力又は選択されているかをディスプレイ（表示部）で確認する必要がある。
【０００６】
ところが、バッテリ容量に限りのある携帯電話機では、一定時間内、キー操作が行われないと、省電力のためにディスプレイの照明が消え、再度キー操作を行わない限りディスプレイの照明が点灯しない省電力機能が備えられている。
このため、暗所等で相手先へ発信操作を行おうとする場合、入力又は選択した相手先電話番号をディスプレイで確認中にディスプレイの照明が消えてしまい、再度キー操作を行って照明を点灯させないと、入力，選択した相手先の電話番号を確認できないという問題も生じた。
【０００７】
さらに、このようなディスプレイ照明の省電力機能を備えた携帯電話機では、キー操作部の各キーボタンを筐体内側から照らすバックライトについても、一定時間操作が行われないと消えるようになっており、暗所でバックライトが消えてしまうと、特に多数の番号入力等が必要となるキー操作はきわめて困難で、誤入力，誤動作等の原因となるという問題も発生した。
【０００８】
なお、特開平１１−２６６２９５号公報には、携帯電話機におけるバックライト光を任意の色に設定可能な「携帯電話機のバックライト表示装置および方法」が提案されており、この携帯電話機によれば、ディスプレイやキーボタン部を照らすバックライトをユーザの好みや見やすさ等に応じて自由な色に設定することが可能であった。
しかし、この携帯電話機は、バックライト光の色の変更設定を目的としたもので、上述したような携帯電話機の入力操作等の煩雑さを解消するものではなかった。
【０００９】
本発明は、このような従来の技術が有する問題を解決するために提案されたものであり、相手先の各電話番号等に応じて異なる色で発光する多色発光ＬＥＤ等の情報選択手段を備えることにより、キー入力操作を行ったりディスプレイの表示を確認することなく任意の相手先の発呼等を行うことができ、電話機の発呼，入力操作等における煩わしさを軽減し、暗所等での誤動作等も有効に防止することができる、特に折畳み式電話機に好適な携帯電話機の提供を目的とする。
【００１０】
【課題を解決するための手段】
上記目的を達成するため、本発明の請求項１記載の携帯電話機は、電話機本体内に、一又は二以上の情報を記憶する情報記憶手段を備えた携帯電話機であって、折畳み自在に構成された電話機本体を構成する筐体表面に、外部から視認可能に配設された、二以上の異なる色で発光可能な多色発光部と、この多色発光部を点灯／消灯させるとともに、当該発光部の発光色を任意に変更，選択する選択操作部と、を備え、前記多色発光部の各発光色が、前記情報記憶手段に記憶される各情報ごとに割り当てられることにより、当該各発光色が各情報を特定し、当該発光色を前記選択操作部で変更，選択することにより、前記情報記憶手段の所望の特定情報を選択，指定する情報選択手段と、折畳み自在に構成された前記電話機本体の開閉を検出する開閉検出手段と、前記開閉検出手段により前記電話機本体の開動作が検出されると、前記情報選択手段の選択操作部により選択，指定された情報が相手先電話番号の場合に、当該相手先電話番号への発呼を行う自動発呼制御手段と、を備える構成としてある。
【００１１】
特に、請求項２では、前記情報記憶手段に記憶される情報が、相手先電話番号を含む構成としてあり、請求項３では、前記情報記憶手段に記憶される情報が、相手別スケジュールを含む構成としてある。
【００１３】
このような構成からなる本発明の携帯電話機によれば、任意の色で発光する多色発光ＬＥＤを携帯電話機の筐体表面に配設するとともに、頻繁に電話をかける相手先の電話番号や特定の相手に関するスケジュール等の情報について、あらかじめ多色発光ＬＥＤの各色を割り当てて設定しておくことにより、多色発光ＬＥＤの発光色を外部から視認することで、所望の相手先の電話番号等の情報を選択，特定することができる。
【００１４】
これにより、相手先へ発呼動作を行う場合に、従来の携帯電話機のように、キー操作部の入力操作やディスプレイの確認等をする必要がなくなり、多色発光ＬＥＤの発光色によって直ちに相手先電話番号を特定することができ、暗所等であっても容易に相手先の電話番号を選択，指定することが可能となり、誤入力や誤動作等も一切生じない。
また、記憶した各種データ，情報についても、多色発光ＬＥＤの発光色に基づいて所望のデータを特定できるので、携帯電話機の操作性の向上を図ることができる。
【００１５】
一方、請求項４記載の携帯電話機は、前記情報選択手段が、電話機本体外部に、二種以上の異なる音を発する発音部と、この発音部を発音／消音させるとともに、当該発音部の音を任意に変更，選択する選択操作部と、を備え、前記発音部の各音が、前記情報記憶手段に記憶される各情報ごとに割り当てられることにより、当該各音が各情報を特定し、当該音を前記選択操作部で変更，選択することにより、前記情報記憶手段の所望の特定情報を選択，指定可能な構成としてある。
【００１６】
このような構成からなる本発明の携帯電話機によれば、多色発光ＬＥＤに代えて、又はこれと併用して、各種のメロディ音等を発する発音部を用いて相手先電話番号等の特定情報を選択，指定することができる。
これにより、頻繁に電話をかける相手先電話番号等について、特定のメロディ音等の音を割り当てて設定することにより、そのメロディ音を聞くことにより、所望の相手先電話番号を選択，特定することができ、多色発光ＬＥＤの場合と同様、キー操作部の入力操作等を必要とすることなく、容易かつ正確に相手先電話番号等を指定することができる。
【００１７】
そして、本発明の携帯電話機は、電話機本体が折畳み自在に構成してあり、特に請求項５では、前記多色発光部が、折畳み自在に構成された前記電話機本体の筐体表面に、当該電話機が折畳まれた状態で外部から視認可能に配設された構成としてある。
【００１８】
このような構成からなる本発明の携帯電話機によれば、電話機本体が折畳み自在に構成された折畳み式の携帯電話機に本発明を適用することができる。
そして、特に、任意の色で発光する多色発光ＬＥＤを、折畳み式の携帯電話機の本体が折畳まれた状態で外部から視認可能な位置に設けることにより、折畳まれた電話機本体を開くことなく、多色発光ＬＥＤの発光色を外部から視認でき、所望の相手先電話番号等を特定できるので、折畳み式携帯電話機における操作性を向上させることができる。
【００１９】
また、請求項６記載の携帯電話機では、前記情報選択手段の選択操作部が、電話機本体の筐体側面部に、外部から操作可能に配設された構成としてある。
【００２０】
このような構成からなる本発明の携帯電話機によれば、多色発光ＬＥＤの色や発音部のメロディ音を選択する選択操作部を電話機本体の側面に備えることにより、折畳み式の携帯電話機の場合でも、電話機本体を折畳んだままの状態で色や音の選択、すなわち相手先電話番号等の情報の選択を行うことが可能となる。
これにより、折畳み式の携帯電話機を折畳んだままのコンパクトな状態で相手先電話番号の選択操作等が行え、使用者の操作の手間をさらに軽減して折畳み式携帯電話機の操作性を向上させることができる。
【００２２】
そして、以上のような構成からなる本発明の携帯電話機によれば、折畳み式の携帯電話機の筐体を開くと同時に、多色発光ＬＥＤ等で選択した相手先に自動的に発呼が行われることになる。
これにより、使用者の操作の手間をさらに軽減して折畳み式携帯電話機の操作性を向上させることができる。
【００２３】
【発明の実施の形態】
以下、本発明にかかる携帯電話機の実施の形態について、図面を参照しつつ説明する。
［第一実施形態］
まず、図１〜図４を参照して、本発明にかかる携帯電話機の第一実施形態について説明する。
図１は、本発明にかかる携帯電話機の第一実施形態を示す概略外観図であり、（ａ）は電話機本体を開いた状態の正面図であり、（ｂ）は電話機本体を折畳んだ状態の斜視図である。
図２は、本実施形態にかかる携帯電話機の各構成部分を示すブロック図である。
図３は、図２に示す携帯電話機の制御部を示すブロック図である。
図４は、本実施形態にかかる携帯電話機の動作を示すフローチャート図である。
【００２４】
本実施形態にかかる携帯電話機は、電話機本体１０が折畳み自在に構成された折畳み式携帯電話機であり、図１に示すように、第一筐体１０ａと第二筐体１０ｂとが、ヒンジ部１０ｃを介して折畳み自在に連結されて折畳み式携帯電話機の本体１０を構成している。
この電話機本体１０には、図１に示すように、第一筐体１０ａ側にはアンテナ１１と表示部１２及びスピーカ１４が、第二筐体１０ｂ側にはキー操作部１３及びマイク１５が備えられている。
【００２５】
表示部（ディスプレイ）１２は、液晶表示画面等からなり、電話番号等の必要情報を文字，記号，図形等で表示する。
キー操作部１３は、数字や文字，記号等を示す複数のキー・ボタンからなり、この操作キー１３を用いて入力動作を行うことにより、相手先電話番号の入力や発呼，受信動作、各種のスケジュール情報の書き込み等、所望の電話機機能の操作や情報入力を行うことができる。
【００２６】
電話機本体内部には、図２に示すように、各部の制御を行う制御部２０が備えられ、この制御部２０に、無線部２１，メモリ２２，音声信号処理部２３が接続されている。
無線部２１は、図２に示すように、電話機本体内でアンテナ１１に接続されており、アンテナ１１を通じて無線信号の送受信処理を行う。
メモリ２２は、各種の情報，データを記憶する情報記憶手段であり、キー操作部１３のキー操作によって所定の情報が入力されるようになっている。
ここで、メモリ２２に記憶される情報としては、相手先電話番号やスケジュール情報等が含まれる。
【００２７】
音声信号処理部２３は、スピーカ１４及びマイク１５に接続しており、アンテナ１１，無線部２１及び制御部２０を介して受信した音声信号をＤ／Ａ変換してスピーカ１４から音声として出力する。
また、この音声信号処理部２３は、マイク１５から入力された音声をＡ／Ｄ変換して、制御部２０，無線部２１及びアンテナ１１を介して相手先に送信する。
【００２８】
そして、このような構成からなる本実施形態にかかる携帯電話機は、電話機本体１０内のメモリ２２に記憶される各情報ごとに異なる報知を行うことにより、当該各情報を特定して、所望の特定情報を選択，指定する情報選択手段を備えている。
具体的には、図１に示すように、電話機本体１０を構成する筐体表面に、外部から視認可能に配設された、二以上の異なる色で発光可能な多色発光ＬＥＤ１６と、この多色発光ＬＥＤ１６を点灯／消灯させるとともに、この多色発光ＬＥＤ１６の発光色を任意に変更，選択するサイドキー（多色発光ＬＥＤ操作部）１７を備えている。
【００２９】
多色発光ＬＥＤ１６は、図１（ｂ）に示すように、折畳み自在に構成された電話機本体１０の第一筐体１０ａの外側表面に配設され、電話機本体１０が折畳まれた状態で外部から発光色を視認できるようになっている。
ここで、多色発光ＬＥＤとは、携帯電話機機の使用者が、自らの好み等に応じてＬＥＤの発光色を任意に変更できるものであり、この種の多色発光ＬＥＤの構成としては、例えば、パルス幅を変更する複数のパルス幅変調回路を内蔵した制御手段と、複数のパルス幅変調回路から出力されたパルスが入力される複数のＬＥＤ駆動用トランジスタと、複数のＬＥＤ駆動用トランジスタの出力で駆動されて発光する複数の発光ダイオードと、からなる多色発光ＬＥＤ等がある。
【００３０】
本実施形態では、この種の多色発光ＬＥＤ１６を、図１（ｂ）に示すように、折畳み式の携帯電話機の本体外表面に装着することにより、電話機本体１０を折畳んだ状態で多色発光ＬＥＤ１６の色及びその変化を確認できるようにしてある。
なお、多色発光ＬＥＤ１６は、図２に示すように、ＬＥＤ制御回路２５を介して制御部２０に接続されており、後述するように、制御部２０の制御によって多色発光ＬＥＤ１６の点灯／消灯及び発光色の変更が制御されるようになっている。
【００３１】
そして、この多色発光ＬＥＤ１６の発光色を、図１（ｂ）に示すサイドキー１７を操作することにより、制御部２０を介して所望の色に変更することができるようになっている。
サイドキー（多色発光ＬＥＤ操作部）１７は、図１（ｂ）に示すように、電話機本体１０の第二筐体１０ｂ側の筐体側面部に備えられており、折畳み式の電話機本体１０を折畳んだ状態でも外部から操作が行えるようになっている。
このサイドキー１７は、確定キー１７ａと選択キー１７ｂの二つのキーを備えており、それぞれが制御部２０に接続されており、選択キー１７ｂによって多色発光ＬＥＤ１６の色を選択し、確定キー１７ａにより選択した色を確定できるようになっている。
【００３２】
そして、本実施形態では、以上のような多色発光ＬＥＤ１６を、サイドキー１７を操作して色を任意に変更させることにより、相手先電話番号の呼出し動作に用いるようにしてある。
すなわち、多色発光ＬＥＤ１６の各発光色ごとに、それぞれメモリ２２内に格納されている任意の相手先電話番号を割り当てることにより、各発光色によって相手先電話番号を特定し、その発光色を選択，指定することで、所望の相手先電話番号を選択できるようにしたものである。
【００３３】
例えば、多色発光ＬＥＤ１６の発光色の種類が１２色の場合、１２色の各色を、それぞれメモリ２２内に格納されている任意の相手先電話番号ごとに割り当てる。
そして、サイドキー１７を操作して１２色の色を選択することにより、１２の異なる相手先電話番号を選択することができる。
すなわち、多色発光ＬＥＤ１６が１２色の発光色を有する場合、最大１２の相手先電話番号を各色に割り当てることが可能となる。
使用者は、各色ごとに割り当てた相手先名を覚えることにより、多色発光ＬＥＤ１６の発光色を選択して所望の相手先電話番号を指定できることになる。
【００３４】
さらに、本実施形態では、折畳み自在に構成された電話機本体１０の開閉を検出する開閉検出手段２４を備えてある。
そして、この開閉検出手段２４によって電話機本体１０の開動作が検出されると、電話機本体１０の折畳み時にあらかじめ選択，指定された多色発光ＬＥＤ１６の発光色に対応する相手先電話番号へ自動的に発呼を行う自動発呼制御手段を備えている。
これにより、折畳まれた状態の電話機本体１０を開くだけで、自動的に相手先への発呼動作が行われることになる。
【００３５】
本実施形態では、以上のような多色発光ＬＥＤ１６の発光制御，発光色の選択及び確定制御，各発光色への相手先電話番号の割り当て制御，電話機本体１０の開動作にともなう自動発呼制御等の各制御を、電話機本体内１０の制御部２０によっておこなっている。
【００３６】
以下、制御部２０におけるこれら各部の制御を、図２及び図３を参照して説明する。
まず、多色発光ＬＥＤ１６は、ＬＥＤ制御回路２５を介して制御部２０に接続されており、制御部２０の制御によって多色発光ＬＥＤ１６の点灯／消灯及び発光色の変更が制御される。
そして、この制御部２０は、図３に示すように、ＣＰＵ（中央演算処理装置）２０ａと発呼制御部２０ｂ及び自動発呼制御部２０ｃを備えている。
【００３７】
ＣＰＵ２０ａには、キー操作部１３，サイドキー１７，多色発光ＬＥＤ１６及びＬＥＤ制御回路２５が接続されており、サイドキー１７が操作されることにより、ＣＰＵ２０ａからＬＥＤ制御回路２５に対してＬＥＤ制御信号が出力され、信号を受けたＬＥＤ制御回路２５が、その信号に基づいて多色発光ＬＥＤ１６の発光を制御するようになっている。
また、ＣＰＵ２０ａは、必要に応じてメモリ２２から電話番号を読み出す。
【００３８】
発呼制御部２０ｂは、ＣＰＵ２０ａによって制御されており、ＣＰＵ２０ａがメモリ２２から読み出した電話番号をもとに、相手先に対して発呼を行うようになっている。
自動発呼制御部２０ｃは、開閉検出部２４と接続されており、開閉検出部２４から「開検出あり」の信号が入力されると、自動発呼の要求ありとして、ＣＰＵ２０ａから相手先の電話番号情報を受け、自動発呼の準備を行い、発呼制御部２０ｂを介して自動発呼動作を行う。
【００３９】
次に、以上のような構成からなる本実施形態にかかる携帯電話機の動作について説明する。
まず、本実施形態にかかる携帯電話機においても、一般の携帯電話機と同様の通常の発呼動作による通話を行うことができる。
その場合は、まず、折畳まれた状態（図１（ｂ）に示す状態）の電話機本体１０の筐体を開き、キー操作部１３で相手先の電話番号を入力し、発呼キーを押下する。
【００４０】
発呼キーは、一般にキー操作部中に設けられる専用キーで、この発呼キーを押下することにより、相手先との呼の確立が開始される。
このとき、入力された相手先の電話番号は、表示部１２に同時に表示される。また、相手先の電話番号がメモリ内の電話帳等に登録されている場合には、キー操作部１３の操作により、制御部２０を介してメモリ内の相手先電話番号が読み出され、表示部１２に表示されるとともに、発呼キーの押下により当該電話番号の相手先に発呼が行われる。
【００４１】
制御部２０は、キー操作部１３で直接入力，指定された相手先の電話番号、又はメモリ内から呼び出された電話番号にしたがって制御信号を作成し、無線部２１及びアンテナ１１を通して電波として発呼する。この発呼に対する応答の電波は、アンテナ１１及び無線部２１を通して受信され、制御部２０に転送される。そして、制御部２０は、この応答信号から判断して相手先との呼を確立する。制御部２０が呼を確立すると、音声信号は、マイク１５から音声信号処理部２３，制御部２０，無線部２１，アンテナ１１の経路で、また、アンテナ１１から無線部２１，制御部２，音声信号処理部２３，スピーカ１４の経路で処理される。
これにより、使用者はスピーカ１４及びマイク１５を介して相手先との通話を行うことができる。
【００４２】
そして、以上のような通常の発呼動作に加えて、本実施形態の携帯電話機では、多色発光ＬＥＤ１６を利用した自動発呼動作を行うことができる。
以下、本実施形態にかかる携帯電話機の多色発光ＬＥＤ１６を利用した自動発呼動作について、図４に示すフローチャート図を参照しつつ説明する。
本実施形態にかかる自動発呼動作は、あらかじめメモリ内に自動発呼用として設定された相手先電話番号について、キー入力操作等の通常の発呼動作を行うことなく、折畳み自在に構成された電話機本体１０が開かれるのと同時に自動的に発呼を行う機能である。
【００４３】
まず、自動発呼動作を行うために、所望の相手先電話番号について自動発呼登録を行っておく。
この自動発呼登録は、電話機本体のキー操作部１３を操作して任意の相手先電話番号を入力し、メモリ２２内に記憶させるとともに、サイドキー１７を操作して多色発光ＬＥＤ１６を発光させ、所望の相手先電話番号について、多色発光ＬＥＤ１６の任意の発光色を割り当てて登録し、メモリ２２に記憶させておく。
この自動発呼登録は、キー操作部１３を操作することにより、制御部２０によって設定，制御される。
【００４４】
以上の自動発呼登録がされた携帯電話機を用いて自動発呼を行う場合には、図４に示すように、まず、サイドキー１７の選択キー１７ｂを押下して多色発光ＬＥＤ１６を点灯させ（Ｓ４０１）、この選択キー１７ｂを操作して、多色発光ＬＥＤの発光色を変化させ、所望の色、すなわち所望の相手先電話番号を選択する（Ｓ４０２）。
なお、多色発光ＬＥＤ１６が点灯されない限り、自動発呼動作は行われず（Ｓ４０１）、通常の発呼動作と同様の動作が行われることになる。
【００４５】
多色発光ＬＥＤ１６が所望の相手先を示す色になったところで、確定キー１７ａを押すことにより色が確定し、相手先電話番号が決定される（Ｓ４０３）。
このとき、多色発光ＬＥＤ１６は、確定された色のまま常時点灯となる。
なお、Ｓ４０３において、確定キー１７ａの押下が一定時間内に行われない場合には、タイムアウトとなり、多色発光ＬＥＤは消灯する（Ｓ４１４）。
【００４６】
確定キー１７ａの押下で所望の色（相手先電話番号）が決定されると、制御部２０のＣＰＵ２０ａが、決定された色についてメモリ２２内に相手先電話番号が割り当てられているか否かを判断し（Ｓ４０４）、相手先電話番号が割り当てられている場合には、当該電話番号をメモリ２２内から呼び出し、自動発呼制御部２０ｃ内に自動発呼登録する（Ｓ４０５）。
ここで、自動発呼登録とは、あるトリガーによって、メモリから呼び出した相手にそのまま自動で発呼できるような準備のことをいう。
これで自動発呼登録の準備が完了するので、折畳まれた電話機本体１０が開かれると自動的に発呼動作が開始されることになる。
【００４７】
なお、Ｓ４０４において、確定した色に割り当てられた相手先電話番号が存在しない場合には、自動発呼動作は行われず、通常の発呼動作と同様となる。
この場合、多色発光ＬＥＤ１６の発光色に相手先電話番号が割り当てられていない旨を使用者に報知するよう設定することができる。
例えば、サイドキー１７の確定キー１７ａを押下した時点でエラー音を発生させたり、確定キー１７ａを押下してもＬＥＤが常時点灯状態にならずに消灯したり、あるいは、電話機本体１０を開いた時点で表示部１２に「指定されたメモリダイヤルがありません」等の表示する、等の報知を行うことができる。
【００４８】
さらに、ある発光色（相手先電話番号）に決定した後、その色（相手先電話番号）を変更した場合には、一度決定された色を解除することができる（Ｓ４０６及びＳ４０７）。
ここで、解除動作は、専用の解除キーを設けてもよいし、他のキーを兼用して解除動作を行うこともできる。例えば、確定キー１７ａが一定時間以上押下された場合に（３秒程度）、その発光色が解除されるように設定することができる。解除操作が行われると、自動発呼制御部２０ｃで自動発呼登録の解除が行われ、先に確定していた多色発光ＬＥＤ１６は消灯する（Ｓ４０７）。
その後は、通常の発呼動作と同様の動作となる。
【００４９】
このようにして、多色発光ＬＥＤの色（相手先電話番号）が決定すると、自動発呼の準備が整った状態となり、自動発呼動作に入る。
まず、折畳み式の電話機本体１０の開閉が、開閉検出部２４で検出され、この検出結果に基づいて制御部２０で所定の処理が行われて自動発呼が動作する。
すなわち、筐体が開かれたことが検出されると（Ｓ４０８）、開閉検出部２４から自動発呼制御部２０ｃに「開検出あり」の信号が入力され。
自動発呼制御部２０ｃでは、ＣＰＵ２０ａの命令によって自動発呼を行う相手先電話番号の登録がすでに行われているかどうかの判定が行われる（Ｓ４０９）。
そして、開動作以前にすでに相手先電話番号の呼び出しが行われて自動発呼の準備が整っている場合には、そのまま選択された相手先に対して自動発呼が行われ（Ｓ４１０）、相手との通話が行われる（Ｓ４１１）。
【００５０】
Ｓ４０９において、自動発呼の準備がなされていない場合、すなわち、多色発光ＬＥＤ１６の発光色の指定による相手先電話番号の呼び出しがなされていない場合には、開動作の検出後、そのまま通常の待受け状態になる（Ｓ４１２）。
したがって、この状態で発呼キーを押下することにより（Ｓ４１３）、通常の携帯電話機における場合と同様、通常の発呼及び通話動作を行うことができる（Ｓ４１１）。
また、Ｓ４０８において、電話機本体１０の開動作が一定時間内に行われない場合には、タイムアウトとして多色発光ＬＥＤは消灯することになる（Ｓ４１４）。
【００５１】
以上説明したように、本実施形態にかかる携帯電話機によれば、特定の相手の電話番号を多色発光ＬＥＤ１６の各色に割り付けておくことにより、相手先電話番号の呼び出しは、色の選択によって行うことができる。
これにより、キー操作部１３の複数のキー操作を行うことなく相手先の電話番号を指定することができるので、携帯電話機における電話番号の指定操作が容易となる。
【００５２】
また、多色発光ＬＥＤ１６の色の選択を、サイドキー１７を使用して行うことにより、折畳み式の携帯電話機において、電話機の筐体を折畳んだままの状態で色の選択、すなわち相手先電話番号の選択を行うことが可能となる。
これにより、従来の携帯電話機のように、入力，指定した相手先電話番号をディスプレイ（表示部）の表示で確認する必要がなくなるとともに、折畳み式携帯電話機を折畳んだままのコンパクトな状態でそのまま操作が行え、携帯電話機の操作性を更に向上させることができる。
【００５３】
さらに、折畳み中に色の選択によって相手先電話番号を選択した後、電話機筐体を開くと同時に自動で発呼を行うことができるので、発呼操作をより簡易かつ容易にすることができ、特に折畳み式の携帯電話機で問題となる使用者の操作の煩雑さを軽減することが可能となる。
【００５４】
［第二実施形態］
次に、本発明にかかる携帯電話機の第二実施形態について、図５を参照して説明する。
図５は、本発明の第二実施形態にかかる携帯電話機のメモリに記憶された情報を示す説明図である。
上述した第一実施形態では、多色発光ＬＥＤ１６の色の選択により、所望の相手先の電話番号を指定して自動的に発呼を行うようにしていたが、本実施形態では、多色発光ＬＥＤ１６の色の選択により特定する情報として、相手先電話番号に代えて、又は相手先電話番号とともに、相手別に記憶したスケジュール情報を特定するようにしたものである。
したがって、その他の構成部分については第一実施形態の場合と同様となっている。
【００５５】
すなわち、本実施形態では、あらかじめ多色発光ＬＥＤ１６の各発光色に所望の相手別のスケジュール情報を割り当てておく。
これにより、電話機本体１０が折畳まれた状態のときに、多色発光ＬＥＤ１６の発光色に基づいて選択，指定した所望の相手について、電話機本体１０の開動作の検出後に、その指定した相手に関するスケジュール情報を表示部１２に自動的に表示させるようにしたものである。
【００５６】
一般に、「スケジュール情報」とは、日時や予定表等をあらかじめメモリ内に記憶して管理しておき、使用者が日々のスケジュール管理として用いるものである（図５参照）。
そして、本実施形態では、このスケジュール情報を相手別に特定できるように、メモリ２２に「相手欄」を設けてあり、これによって、スケジュールをメモリ２２に記憶，登録する際に、ある特定の相手との約束等について、その「相手」についても登録できるようになっている。
このとき、すでにその相手が、メモリダイヤルとしてメモリ２２内に登録されている相手先電話番号と一致する場合には、そのメモリダイヤルの中から選択して登録することもできる。
なお、特定の相手が存在しないスケジュールについては、相手を指定しない。
【００５７】
そして、このメモリ２２に記憶された「相手」について、第一実施形態における電話番号と同様に、多色発光ＬＥＤの各発光色を割り当てるようにする。
図５に示すメモリダイヤル情報３１では、メモリダイヤルの中で色指定をしている例を示しており、同図のスケジュール情報３２では、スケジュール情報中に相手欄情報が登録されている状態を示している。
【００５８】
このような本実施形態の携帯電話機によれば、電話機本体１０が折畳まれた状態で、多色発光ＬＥＤ１６の発光色に基づいて所望の相手を選択，指定し、電話機本体１０を開くことにより、図５の表示３３に示すように、指定した色の相手のスケジュール情報のみを取り出して表示部１２に自動的に表示することができ（図５に示す３３の場合は、赤色指定による「相手Ａさんとのスケジュール」）、これによって、特定の相手の情報をまとめて管理，処理することができる。
【００５９】
なお、色を指定して電話機本体１０を開いた後、その相手のスケジュールを追加したい場合には、その相手のスケジュールが表示された状態から追加のスケジュールを入力することが可能である。
また、相手の電話番号がすでにメモリダイヤルに登録されている場合には（図５の３１参照）、スケジュールを表示部１２に表示させるだけでなく、その状態で発呼キーを押下することで、その相手先の電話番号に発呼が行われるようにすることもできる。
【００６０】
［第三実施形態］
さらに、本発明にかかる携帯電話機の第三実施形態について説明する。
上述した第一，第二実施形態では、相手先電話番号の選択，指定を多色発光ＬＥＤの色の変化によって行っていたが、本実施形態では、これを音（メロディ音）の選択により行うようにしたものである。
したがって、他の構成部分は第一，第二実施形態の場合と同様であり、詳細な説明は省略する。
【００６１】
一般に、携帯電話機においては、相手先からの信号を受信すると、着信を報知する着信音として各種のメロディ音が鳴動するようになっている。そして、特定の相手先電話番号について、あらかじめ特定のメロディ音を割り当てて設定しておくことにより、その相手から電話がかかってくると、割り当てておいたメロディ音が着信音として鳴動する、という機能が備えられている。
【００６２】
本実施形態では、このメロディ音を、着信を知らせる着信音に代えて、又はこれと併用して、相手先への発呼操作時における相手先電話番号の選択，指定に用いるようにしたものである。
すなわち、本実施形態では、電話機本体１０の外部に二種以上の異なる音を発する発音部と、この発音部を発音／消音させるとともに、当該発音部の音を任意に変更，選択する選択操作部を備えるようにしてある。
ここで、発音部は、通常の携帯電話機においてメロディ音や着信音を外部に鳴動，報知するスピーカ等を用いることができる。
また、選択操作部は、第一実施形態におけるサイドキー１７と同様の構成のものを用いることができる。
【００６３】
そして、発音部の数種類の各メロディ音を、メモリ内に記憶される相手先電話番号ごとに割り当てることで、各メロディ音が各電話番号を特定して、このメロディ音を選択操作部で変更，選択することによって、所望の相手先の電話番号を選択，指定できるようになっている。
これにより、本実施形態にかかる携帯電話機では、あらかじめメロディ音を各相手先電話番号に割り当てておくことにより、メロディ音を割り当てた相手に発呼する場合には、サイドキーを操作して所望のメロディ音を選択することになる。
ここで、メロディ音の選択は、メロディ音を実際に鳴動させる場合の他、メロディ音の名前をディスプレイ上に表示等することによってもでき、使用者がそのメロディ音を確認，特定できる方法であればどのような手段であってもよい。
【００６４】
そして、第一実施形態の場合と同様、電話機本体１０を折畳んだままの状態でメロディ音、すなわち相手先電話番号を選択，指定し、その後、電話機本体１０を開くことにより、電話機の展開と同時に指定した相手先に自動的に発呼を行うことができる。
また、電話機本体１０を展開した状態で所望のメロディ音を選択し、その後、発呼キーを押下することにより、そのまま相手先に発呼を行うこともできる。
【００６５】
このように、本実施形態にかかる携帯電話機によれば、多色発光ＬＥＤに代えて、又はこれと併用して、各種のメロディ音等を発する発音部を用いて相手先電話番号等の特定情報を選択，指定することができので、頻繁に電話をかける相手先電話番号等について、特定のメロディ音等の音を割り当てて設定することで、そのメロディ音を聞くことにより、所望の相手先電話番号を選択，特定することができる。
これにより、第一実施形態における多色発光ＬＥＤの場合と同様、キー操作部１３の入力操作等を必要とすることなく、容易かつ正確に相手先電話番号等を指定することができる。
【００６６】
なお、本発明の携帯電話機は、上述した実施形態にのみ限定されるものではなく、本発明の要旨の範囲で種々の変更実施が可能であることは言うまでもない。例えば、上述した実施形態では、電話機本体が折畳み自在に構成された折畳み式の携帯電話の場合について説明したが、折畳み式でない携帯電話機についても適用できることは勿論である。
【００６７】
【発明の効果】
以上説明したように、本発明の携帯電話機によれば、相手先の各電話番号等に応じて異なる色で発光する多色発光ＬＥＤや異なるメロディ音を発する発音部からなる情報選択手段を備えることにより、キー入力操作を行ったりディスプレイの表示を確認することなく、任意の相手先の電話番号等を特定して発呼等の動作を行うことができる。
これにより、携帯電話機における発呼，入力操作等における煩わしさを軽減し、暗所等での誤入力，誤動作等も有効に防止することが可能となり、特に折畳み式の携帯電話機に好適である。
【図面の簡単な説明】
【図１】本発明にかかる携帯電話機の第一実施形態を示す概略外観図であり、（ａ）は電話機本体を開いた状態の正面図であり、（ｂ）は電話機本体を折畳んだ状態の斜視図である。
【図２】本発明の第一実施形態にかかる携帯電話機の各構成部分を示すブロック図である。
【図３】図２に示す携帯電話機の制御部を示すブロック図である。
【図４】本発明の第一実施形態にかかる携帯電話機の動作を示すフローチャート図である。
【図５】本発明の第二実施形態にかかる携帯電話機のメモリに記憶された情報を示す説明図である。
【符号の説明】
１０  電話機本体
１３  キー操作部
１６  多色発光ＬＥＤ
１７  サイドキー（多色発光ＬＥＤ操作部）
１７ａ  確定キー
１７ｂ  選択キー
２０  制御部
２２  メモリ
２４  開閉検出部
２５  ＬＥＤ制御回路
【図１】
0003607577.tif 000002
【図２】
0003607577.tif 000003
【図３】
0003607577.tif 000004
【図４】
0003607577.tif 000005
【図５】
0003607577.tif 000006